【手続補正書】
【提出日】平成17年10月21日(2005.10.21)
【手続補正１】
【補正対象書類名】明細書
【補正対象項目名】発明の名称
【補正方法】変更
【補正の内容】
【発明の名称】画像表示装置及び方法、及び、画像配信装置及び方法
【手続補正２】
【補正対象書類名】明細書
【補正対象項目名】特許請求の範囲
【補正方法】変更
【補正の内容】
【特許請求の範囲】
【請求項１】
インターネットを介してサーバから配信される画像を表示する画像表示装置であって、
前記サーバの接続に従って、前記サーバから配信される画像を受信する受信手段と、
前記受信手段により画像を受信する前に取得した情報を記憶する記憶手段と、
前記受信手段による画像の受信に先立って、前記記憶手段に記憶された情報を表示し、前記受信手段による画像の受信に応じて、当該受信した画像を表示するための表示手段と
を有することを特徴とする画像表示装置。
【請求項２】
前記サーバから配信される画像はカメラによって撮影される動画像であり、前記記憶手段に記憶される情報は広告情報であることを特徴とする請求項１に記載の画像表示装置。
【請求項３】
インターネットを介してサーバから配信される画像を表示する画像表示方法であって、
前記サーバに接続する接続工程と、
前記サーバから配信される画像が受信される前に取得し、メモリに記憶された情報を表示する情報表示工程と、
前記サーバから配信される画像を受信する受信工程と、
前記受信工程における画像の受信に応じて、当該受信した画像を表示する画像表示工程と
を有することを特徴とする画像表示方法。
【請求項４】
前記サーバから配信される画像はカメラによって撮影される動画像であり、前記記憶手段に記憶される情報は広告情報であることを特徴とする請求項３に記載の画像表示方法。
【請求項５】
インターネットを介してサーバから配信される画像を表示するためのプログラムコードが格納されたコンピュータ可読メモリであって、
前記サーバに接続する接続工程のコードと、
前記サーバから配信される画像が受信される前に取得し、メモリに記憶された情報を表示する情報表示工程のコードと、
前記サーバから配信される画像を受信する受信工程のコードと、
前記受信工程における画像の受信に応じて、当該受信した画像を表示する画像表示工程のコードと
を有することを特徴とするコンピュータ可読メモリ。
【請求項６】
前記サーバから配信される画像はカメラによって撮影される動画像であり、前記記憶手段に記憶される情報は広告情報であることを特徴とする請求項５に記載のコンピュータ可読メモリ。
【請求項７】
ネットワークを介して、複数のクライアントに画像を配信可能な画像配信装置であって、
画像を出力する第１の出力手段と、
前記第１の出力手段によって出力される画像と無関係の情報を出力する第２の出力手段と、
前記第１の出力手段と前記第２の出力手段とを切り換えるスイッチと、
前記スイッチを制御するスイッチ制御部とを有し、
前記スイッチ制御部は、第１の所定時間、前記第１の出力手段を選択した後に、第２の所定時間、前記第２の出力手段を選択するようにスイッチを制御し、前記第２の出力手段を選択中に、前記スイッチが前記第１の出力手段から前記第２の出力手段に切り換えてから一定時間経過後に前記第１の出力手段によって出力される画像の送信リクエストを受信した場合、前記スイッチ制御部は、第２の出力手段から前記第１の出力手段に切り換えるように前記スイッチを制御することを特徴とする画像配信装置。
【請求項８】
上記クライアントは複数のグループに分類され、クライアントが属するグループを判別する判別手段を更に有し、
前記スイッチ制御部は、第１のグループに属するクライアントに対して、第２のグループに属するクライアントに対するよりも第２の所定時間を短くするように前記スイッチを制御することを特徴とする請求項７に記載の画像配信装置。
【請求項９】
前記画像はカメラによって撮影される動画像であり、前記情報は広告情報であることを特徴とする請求項７に記載の画像配信装置。
【請求項１０】
ネットワークを介して複数のクライアントに画像を配信可能な画像配信方法であって、
画像を配信する第１の配信工程と、
前記第１の配信工程で配信される画像と無関係の情報を配信する第２の配信工程と、
第１の所定時間経過後に、前記第１の配信工程から前記第２の配信工程に切り換える第１の切り換え工程と、
第２の所定時間経過後に、前記第２の配信工程から前記第１の配信工程に切り換える第２の切り換え工程とを有することを特徴とする画像配信方法。
【請求項１１】
上記クライアントは複数のグループに分類され、クライアントが属するグループを判別する判別工程を更に有し、
第１のグループに属するクライアントに対する場合の前記第２の所定時間は、第２のグループに属するクライアントに対する場合よりも短いことを特徴とする請求項１０に記載の画像配信方法。
【請求項１２】
前記画像はカメラによって撮影される動画像であり、前記情報は広告情報であることを特徴とする請求項１０に記載の画像配信方法。
【請求項１３】
ネットワークを介して複数のクライアントに画像を配信する為のプログラムコードが格納されたコンピュータ可読メモリであって、
画像を配信する第１の配信工程のコードと、
前記画像と無関係の情報を配信する第２の配信工程のコードと、
第１の所定時間経過後に、前記第１の配信工程から前記第２の配信工程に切り換える第１の切り換え工程のコードと、
第２の所定時間経過後に、前記第２の配信工程から前記第１の配信工程に切り換える第２の切り換え工程のコードとを有することを特徴とするコンピュータ可読メモリ。
【請求項１４】
上記クライアントは複数のグループに分類され、クライアントが属するグループを判別する判別工程のコード、
第１のグループに属するクライアントに対する場合の前記第２の所定時間を、第２のグループに属するクライアントに対する場合よりも短くするコードとを更に有することを特徴とする請求項１３に記載のコンピュータ可読メモリ。
【請求項１５】
前記画像はカメラによって撮影される動画像であり、前記情報は広告情報であることを特徴とする請求項１３に記載のコンピュータ可読メモリ。
【手続補正３】
【補正対象書類名】明細書
【補正対象項目名】０００６
【補正方法】変更
【補正の内容】
【０００６】
【課題を解決するための手段】
上記目的を達成するため、インターネットを介してサーバから配信される画像を表示する本発明の画像表示装置は、前記サーバの接続に従って、前記サーバから配信される画像を受信する受信手段と、前記受信手段により画像を受信する前に取得した情報を記憶する記憶手段と、前記受信手段による画像の受信に先立って、前記記憶手段に記憶された情報を表示し、前記受信手段による画像の受信に応じて、当該受信した画像を表示するための表示手段とを有する。
また、インターネットを介してサーバから配信される画像を表示する本発明の画像表示方法は、前記サーバに接続する接続工程と、前記サーバから配信される画像が受信される前に取得し、メモリに記憶された情報を表示する情報表示工程と、前記サーバから配信される画像を受信する受信工程と、前記受信工程における画像の受信に応じて、当該受信した画像を表示する画像表示工程とを有する。
また、本発明のネットワークを介して、複数のクライアントに画像を配信可能な画像配信装置は、画像を出力する第１の出力手段と、前記第１の出力手段によって出力される画像と無関係の情報を出力する第２の出力手段と、前記第１の出力手段と前記第２の出力手段とを切り換えるスイッチと、前記スイッチを制御するスイッチ制御部とを有し、前記スイッチ制御部は、第１の所定時間、前記第１の出力手段を選択した後に、第２の所定時間、前記第２の出力手段を選択するようにスイッチを制御し、前記第２の出力手段を選択中に、前記スイッチが前記第１の出力手段から前記第２の出力手段に切り換えてから一定時間経過後に前記第１の出力手段によって出力される画像の送信リクエストを受信した場合、前記スイッチ制御部は、第２の出力手段から前記第１の出力手段に切り換えるように前記スイッチを制御する。
【手続補正４】
【補正対象書類名】明細書
【補正対象項目名】０００７
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
また、本発明の好適な一様態によれば、前記画像はカメラによって撮影される動画像であり、前記情報は広告情報である。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】